【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段と、
前記画像形成手段により画像形成されたシートが排出される排出手段と、
前記排出手段に排出されるシートを仕分ける仕分け手段と、
第１面に画像が形成され、前記排出手段に排出された後に第２面の画像形成用のシート供給部へ手動で積載されたシートの第２面に画像形成を行うモードを実行する場合、第１面への画像形成により前記排出手段に排出される複数のシートを、各々のシート束が前記シート供給部の最大積載枚数を超えない枚数となる複数のシート束に仕分けるように前記仕分け手段を制御する制御手段と、
を備えたことを特徴とする画像形成装置。
【請求項２】
前記最大積載枚数を超えない範囲で、前記仕分け手段により仕分けられるシート束のシートの枚数を設定する設定手段を有することを特徴とする請求項１に記載の画像形成装置。
【請求項３】
シートの材質を設定する材質設定手段を有し、前記制御手段は、前記材質設定手段で設定されたシートの材質に応じて前記シート束のシートの枚数の最大値を変更することを特徴とする請求項１または２に記載の画像形成装置。
【請求項４】
第１面の画像形成用のシート供給部と、
前記第２面の画像形成用のシート供給部を前記第１面の画像形成用のシート供給部とは独立して選択する選択手段と、を有することを特徴とする請求項１ないし３の何れか１項に記載の画像形成装置。
【請求項５】
前記制御手段は、第１面の画像形成において前記仕分け手段により１番目に仕分けされる第１のシート束として、奇数頁の最終頁が最後に画像形成され、前記奇数頁の最終頁が画像形成されたシートが前記第１のシート束の一番上になり且つ第１面を上にして前記排出手段に積載されるように第１面の画像形成の順序を制御することを特徴とする請求項１ないし４の何れか１項に記載の画像形成装置。
【請求項６】
前記制御手段は、第１面の画像形成において前記仕分け手段により最後に仕分けされる最終シート束として、奇数頁の先頭頁が最初に画像形成され、前記奇数頁の先頭頁が画像形成されたシートが前記最終シート束の一番下となり且つ第１面を上にして前記排出手段に積載されるように第１面の画像形成の順序を制御することを特徴とする請求項５記載の画像形成装置。
【請求項７】
前記制御手段は、前記第２面の画像形成において前記最終シート束が表裏反転されて前記シート供給部に積載された状態で、偶数頁の先頭頁が最初に画像形成され、前記偶数頁の先頭頁が画像形成されたシートが前記最終シート束の一番下となり且つ第２面を上にして前記排出手段に積載されるように第２面の画像形成順序を制御することを特徴とする請求項６記載の画像形成装置。
【請求項８】
前記制御手段は、前記第１面の画像形成において前記仕分け手段により１番目に仕分けされる第１のシート束として、偶数頁の最終頁が最初に画像形成され、前記偶数頁の最終頁が画像形成されたシートが前記第１のシート束の一番下になり且つ第１面を上にして前記排出手段に積載されるように第１面の画像形成の順序を制御することを特徴とする請求項１ないし４の何れか１項に記載の画像形成装置。
【請求項９】
前記制御手段は、前記第１面の画像形成において前記仕分け手段により最後に仕分けされる最終シート束として、偶数頁の最終頁が最初に画像形成され、前記偶数頁の最終頁が画像形成されたシートが前記最終シート束の一番下となり且つ第１面を上にして前記排出手段に積載されるように第１面の画像形成の順序を制御することを特徴とする請求項８記載の画像形成装置。
【請求項１０】
前記制御手段は、前記第２面の画像形成において前記最終シート束が表裏反転されて前記シート供給部に積載された状態で、奇数頁の最終頁が最初に画像形成され、前記奇数頁の最終頁が画像形成されたシートが前記最終シート束の一番下となり且つ第２面を上にして前記排出手段に積載されるように第２面の画像形成順序を制御することを特徴とする請求項９記載の画像形成装置。
【請求項１１】
前記制御手段は、第１面の画像形成において前記仕分け手段により１番目に仕分けされる第１のシート束として、奇数頁の最終頁が最初に画像形成され、前記奇数頁の最終頁が画像形成されたシートが前記第１のシート束の一番下になり且つ第１面を下にして前記排出手段に積載されるように第１面の画像形成の順序を制御することを特徴とする請求項１ないし４の何れか１項に記載の画像形成装置。
【請求項１２】
前記制御手段は、前記第１面の画像形成において前記仕分け手段により最後に仕分けされる最終シート束として、奇数頁の先頭頁が最後に画像形成され、前記奇数頁の先頭頁が画像形成されたシートが前記最終シート束の一番上となり且つ第１面を下にして前記排出手段に積載されるように第１面の画像形成の順序を制御することを特徴とする請求項１１記載の画像形成装置。
【請求項１３】
前記制御手段は、前記第２面の画像形成において前記最終シート束が表裏反転されずに前記シート供給部に積載された状態で、偶数頁の先頭頁が最初に画像形成され、前記偶数頁の先頭頁が画像形成されたシートが前記最終シート束の一番下となり且つ第２面を上にして前記排出手段に積載されるように第２面の画像形成順序を制御することを特徴とする請求項１２記載の画像形成装置。
【請求項１４】
カセットに収納されているシートを供給するカセットシート供給手段と、
手差しトレイに積載されるシートを供給する手差しシート供給手段と、
前記カセットシート供給手段或いは前記手差しシート供給手段より供給されるシートに画像を形成する画像形成手段と、
前記画像形成手段により画像形成されたシートが排出される排出手段と、
前記排出手段に排出されるシートを仕分ける仕分け手段と、
前記カセットシート供給手段から供給されるシートの第１面に前記画像形成手段により画像を形成し、前記排出手段に排出された後に手動で前記手差しトレイに積載され、前記手差しシート供給手段から供給される前記シートの第２面に前記画像形成手段により画像形成する手動両面印刷を実行するよう制御する制御手段と、を備え、
前記手動両面印刷において、前記制御手段は、第１面への画像形成により前記排出手段に排出される複数のシートを、各々のシート束が前記手差しトレイの最大積載枚数を超えない枚数となる複数のシート束に仕分けるように前記仕分け手段を制御することを特徴とする画像形成装置。
【請求項１５】
前記最大積載枚数を超えない範囲で、前記仕分け手段により仕分けられるシート束のシートの枚数を設定する設定手段を有することを特徴とする請求項１４に記載の画像形成装置。
【請求項１６】
シートの材質を設定する材質設定手段を有し、前記制御手段は、前記材質設定手段で設定されたシートの材質に応じて前記シート束のシートの枚数の最大値を変更することを特徴とする請求項１４または１５に記載の画像形成装置。
【請求項１７】
シートを供給するシート供給手段と、
前記シート供給部より供給されたシートに画像を形成する画像形成手段と、
前記画像形成手段により画像形成されたシートが排出される排出手段と、
前記排出手段に排出される複数のシートの仕分けを行う仕分け手段と、
インサータで使用するべきインサートシートを作成するモードを実行する場合、前記シート供給手段から供給される複数のシートに前記画像形成手段により画像形成させ、更に前記画像形成された複数のシートを、各々のシート束が前記インサータに備えられ、給送するべきインサートシートを積載するトレイの最大積載枚数を超えない枚数となる複数のシート束に仕分けるように前記仕分け手段を制御する制御手段と、を備えたことを特徴とする画像形成装置。
【請求項１８】
前記制御手段は、前記シート束の枚数が前記トレイの最大積載枚数以下で且つ、１セットのインサートシートの枚数の整数倍の枚数で仕分けを行うよう、前記仕分け手段を制御することを特徴とする請求項１７に記載の画像形成装置。
【請求項１９】
前記画像形成装置が前記インサータを有することを特徴とする請求項１７または１８に記載の画像形成装置。
【請求項２０】
シートに画像を形成する画像形成手段と、
前記画像形成手段により画像形成されたシートが排出される排出手段と、
前記排出手段に排出されるシートを仕分ける仕分け手段と、
を有する画像形成装置の両面印刷方法において、
前記画像形成手段により複数のシートの各々の第１面に画像形成する第１の画像形成工程と、
前記第１の画像形成工程で画像形成され、前記排出手段に排出される複数のシートを前記仕分け手段により複数のシート束に仕分けする仕分け工程と、
前記仕分け工程で仕分けられたシート束が第２面への画像形成のためのシート供給部へ積載された後に前記画像形成手段により前記第２面への画像形成を行う第２の画像形成工程と、
を有し、前記仕分け工程では、各々のシート束が前記シート供給部の最大積載枚数を超えない枚数となる複数のシート束に仕分けることを特徴とする両面印刷方法。
【手続補正２】
【補正対象書類名】明細書
【補正対象項目名】発明の名称
【補正方法】変更
【補正の内容】
【発明の名称】画像形成装置及び両面印刷方法
【手続補正３】
【補正対象書類名】明細書
【補正対象項目名】０００１
【補正方法】変更
【補正の内容】
【０００１】
本発明は、画像形成装置及び両面印刷方法に関し、特に手動両面印刷や、インサートシート作成のための印刷に関するものである。
【手続補正４】
【補正対象書類名】明細書
【補正対象項目名】０００９
【補正方法】変更
【補正の内容】
【０００９】
前記課題を解決するため、本発明では、次のとおりに構成する。
（１）シートに画像を形成する画像形成手段と、前記画像形成手段により画像形成されたシートが排出される排出手段と、前記排出手段に排出されるシートを仕分ける仕分け手段と、第１面に画像が形成され、前記排出手段に排出された後に第２面の画像形成用のシート供給部へ手動で積載されたシートの第２面に画像形成を行うモードを実行する場合、第１面への画像形成により前記排出手段に排出される複数のシートを、各々のシート束が前記シート供給部の最大積載枚数を超えない枚数となる複数のシート束に仕分けるように前記仕分け手段を制御する制御手段と、を備えたことを特徴とする画像形成装置。
（２）カセットに収納されているシートを供給するカセットシート供給手段と、手差しトレイに積載されるシートを供給する手差しシート供給手段と、前記カセットシート供給手段或いは前記手差しシート供給手段より供給されるシートに画像を形成する画像形成手段と、前記画像形成手段により画像形成されたシートが排出される排出手段と、前記排出手段に排出されるシートを仕分ける仕分け手段と、前記カセットシート供給手段から供給されるシートの第１面に前記画像形成手段により画像を形成し、前記排出手段に排出された後に手動で前記手差しトレイに積載され、前記手差しシート供給手段から供給される前記シートの第２面に前記画像形成手段により画像形成する手動両面印刷を実行するよう制御する制御手段と、を備え、前記手動両面印刷において、前記制御手段は、第１面への画像形成により前記排出手段に排出される複数のシートを、各々のシート束が前記手差しトレイの最大積載枚数を超えない枚数となる複数のシート束に仕分けるように前記仕分け手段を制御することを特徴とする画像形成装置。
（３）シートを供給するシート供給手段と、前記シート供給部より供給されたシートに画像を形成する画像形成手段と、前記画像形成手段により画像形成されたシートが排出される排出手段と、前記排出手段に排出される複数のシートの仕分けを行う仕分け手段と、インサータで使用するべきインサートシートを作成するモードを実行する場合、前記シート供給手段から供給される複数のシートに前記画像形成手段により画像形成させ、更に前記画像形成された複数のシートを、各々のシート束が前記インサータに備えられ、給送するべきインサートシートを積載するトレイの最大積載枚数を超えない枚数となる複数のシート束に仕分けるように前記仕分け手段を制御する制御手段と、を備えたことを特徴とする画像形成装置。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】